(57)【要約】【課題】電子キーシステム用携帯機の防水性を保ち、水の侵入による電子部品の損傷を防止するとともに、水中に落下しても、携帯機本体が水に沈まない機能をもたせる。【解決手段】携帯機本体の外形を構成するカバー１とベース２、ベース内に配置されたケース３、ケースに支持され電子部品が実装された回路基板５、回路基板の一面側とカバー１との間に重ね合わされて配置された防水用パッキン６、ベース２とケース３との間に配置された電池固定用キャップ７、電池固定用キャップ７により保持され回路基板５の電子部品と電気的接続される電池８を備え、防水用パッキン６および電池固定用キャップ７で囲まれた範囲に防水性を持たせ、電池８の回路基板側の面とは反対側の面と電池固定用キャップ７間に水への浮力に寄与する空間３０を電池固定用キャップ７により設ける。【選択図】図２
2015059374.tif 000002
【特許請求の範囲】
【請求項１】
携帯機本体の外形を構成するカバーとベース、前記ベース内に配置されたケース、前記ケースに支持され電子部品が実装された回路基板、前記回路基板の一面側と前記カバーとの間に重ね合わされて配置された防水用パッキン、前記ベースと前記ケースとの間に配置された電池固定用キャップ、前記電池固定用キャップにより保持され前記回路基板の電子部品と電気的に接続される電池を備え、前記防水用パッキンおよび前記電池固定用キャップで囲まれた範囲に防水性を持たせ、前記電池の前記回路基板側の面とは反対側の面と前記電池固定用キャップ間に水への浮力に寄与する空間を前記電池固定用キャップにより設けたことを特徴とする電子キーシステムの携帯機。
【請求項２】
前記電池固定用キャップは、前記ベースと前記ケースとの間に挟持されたことを特徴とする請求項１に記載の電子キーシステムの携帯機。
【請求項３】
前記電池固定用キャップは、前記ベースと一体化させたことを特徴とする請求項１に記載の電子キーシステムの携帯機。
【請求項４】
前記電池固定用キャップは、電池支持部とその外周部に防水機能をもたせるＯリング支持部を備えた構造であることを特徴とする請求項１〜３のいずれか１項に記載の電子キーシステムの携帯機。
【請求項５】
前記電池固定用キャップの電池支持部は円筒状または複数本の柱形状とした請求項４に記載の電子キーシステムの携帯機。
【請求項６】
前記ケースに電子部品収納部を設け、前記回路基板に実装された電子部品の一部を、前記電子部品収容部に配置したことを特徴とする請求項１〜５のいずれか１項に記載の電子キーシステムの携帯機。
【請求項７】
前記ケースに設けた電子部品収納部に、前記回路基板に実装された電子部品を支持する電子部品支持部を設けたことを特徴とする請求項６に記載の電子キーシステムの携帯機。
【請求項８】
前記ベースに前記電池固定用キャップの支持部を設けたことを特徴とする請求項１、２、４〜７のいずれか１項に記載の電子キーシステムの携帯機。
【請求項９】
前記ベースに設けた前記電池固定用キャップの支持部により形成された前記ベースと前記ケースとのスペースにエマージェンシーキーを装着可能としたことを特徴とする請求項８に記載の電子キーシステムの携帯機。
【請求項１０】
前記ベースは、前記ケースと脱着可能かつ前記ベースと前記ケース間の嵌合部は非防水であり、前記電池固定用キャップを外すことで電池交換が可能であることを特徴とする請求項１〜９のいずれか１項に記載の電子キーシステムの携帯機。
【請求項１１】
前記電池を携帯機本体の回路基板の中心付近に配置したことを特徴とする請求項１〜１０のいずれか１項に記載の電子キーシステムの携帯機。
【請求項１２】
前記カバー、ベース及びケースを樹脂成形品で構成し、そのうち１つ以上の部品材料を他の部品材料と比して比重の小さい材料を使用したことを特徴とする請求項１〜１１のいずれか１項に記載の電子キーシステムの携帯機。
【請求項１３】
前記電池固定用キャップは、ポリマーアロイ材の樹脂材料としたことを特徴とする請求項１〜１２のいずれか１項に記載の電子キーシステムの携帯機。
【発明の詳細な説明】
【技術分野】
【０００１】
この発明は、防水機能を持つ電子キーシステムの携帯機に関するものである。特に、メカニカルキーを用いることなく、車両ドアのロック・アンロックやエンジン始動などを行うことができる電子キーシステムの携帯機に関するものである。
【背景技術】
【０００２】
機械的な鍵を使用せずに車両ドアの施錠・開錠、エンジンやハイブリッドシステムの始動等を行う電子キーシステムに用いられる携帯機が知られている（例えば、特許文献１）。
この携帯機は、第１ケースと第２ケースからなる外ケースと、外ケースの空間部内に配置された防水部材とからなり、第１ケースと防水部材で囲まれた空間に収納されたプリント配線基板の裏面側にホルダー部材を一体化して取付け、このホルダー部材の外周にアンテナ線を巻き付け、ホルダー部材の貫通孔内に釦型電池を収納した構成となっている。
【０００３】
また、テレビなどの機器を離れた場所から遠隔操作して動かすリモートコントローラなどの電子機器に防水機能を持たせたものが知られている（例えば、特許文献２）。
この電子機器は、機器本体の下部側を船底形状にして空間部を形成して底部に錘を設け、機器本体の上部側を下部側よりも外周側に突出する平板形状に形成し、上部側の外周側に突出した外周部には機器本体の下側に向けて開放された空気溜め用の凹部を設け、機器本体の本体ケースと操作部との接合部分、電池蓋、および赤外線発光部はそれぞれ水密性を確保した防水構造になっている。
【０００４】
このような電子機器を水中に落とした場合であっても、電子機器の上面側を水面上に露出させた状態で水面に浮かせることができるので、簡易型の防水構造であっても必要な防水性を確保することが出来るようになっている。
【先行技術文献】
【特許文献】
【０００５】
【特許文献１】特許第３９５４８２３号公報（図１、図２）
【特許文献２】特許第３８２３９０１号公報（図６、図８）
【発明の概要】
【発明が解決しようとする課題】
【０００６】
電子キーシステムに用いられる携帯機を、例えば船舶用に用いる場合、船体上での使用など、海辺での使用が多く、操作中に滑るなどして誤って携帯機を水中に落下させてしまう危険性がある。その場合、水が携帯機内部の電子部品配置部に侵入するのを防ぎ、さらに水に浮くことが、電子装置の損傷や、携帯機自体の紛失防止に必要となる。
特許文献２の技術では、機器本体の上部側において機器本体の下部側よりも外周側に突出した外周部を設けることや、機器本体が水に浮いた状態のときに、本体の上側部材と下側部材との接合部分が水面よりも上に位置するように下側部材に錘を設けるなどの作業が必要となる。
【０００７】
また、機器本体を水に浮かせるために防水空間部を本体内部に設けることで浮力を稼ぐ必要がある。ここで、電子キーシステムの携帯機においては、アンテナコイルなどの大型素子を防水空間に配置する必要がある。仮に、特許文献２のように、浮力を確保するための空間部を電子キーステムの携帯機に適用しようとしても、電子キーシステムの携帯機では、回路基板上の電極に電池が接触し、基板の電池と同面側に大型部品が実装されるため
、特許文献２における空間部にこの大型部品を配置せざるを得ない。
従って、電子キーシステムの携帯機においては、浮力を充分確保するための空間部を、特許文献２のように回路基板の配置方向に設けることが困難であった。
【０００８】
また、電子キーシステムの携帯機においては、ユーザーが容易に電池交換を行える必要があり、さらには容易に再組み立てが出来る必要がある。一方、電子キーステムの外形を構成するカバーおよびベースはデザインやコストの面からもネジ止めを行わず、爪による嵌合構造を用いることが望まれる。
【０００９】
この発明は上記のような課題を解決するためになされたものであり、水中に誤って携帯機を落下させても防水性を保ち、電子キー機能を損なうことや、水中に沈むことで紛失することがなく、さらには意匠部品である携帯機のデザイン性を損なう外殻形状の突部追加等による変更、携帯機本体のサイズアップ、携帯機の機能上不必要な工程などを要しない電子キーシステムの携帯機を提供することを目的とするものである。
【課題を解決するための手段】
【００１０】
この発明の電子キーシステムの携帯機は、携帯機本体の外形を構成するカバーとベース、ベース内に配置されたケース、ケースに支持され電子部品が実装された回路基板、回路基板の一面側とカバーとの間に重ね合わされて配置された防水用パッキン、ベースとケースとの間に配置された電池固定用キャップ、電池固定用キャップにより保持され回路基板の電子部品と電気的に接続される電池を備え、防水用パッキンおよび電池固定用キャップで囲まれた範囲に防水性を持たせ、電池の回路基板側の面とは反対側の面と前記電池固定用キャップ間に水への浮力に寄与する空間を電池固定用キャップにより設けたものである。
【発明の効果】
【００１１】
この発明によれば、携帯機が例えば水の中に落下したときに、携帯機内部の電子部品が配置された空間には、水が侵入することがないため、電子キーとしての機能が損なわれることがない。また、携帯機本体が水に浮くための空間も確保しているため、携帯機が海中に沈んで紛失してしまう怖れがない。
さらに携帯機本体外形の意匠面の形状追加、サイズアップを抑制し、水に浮かせることが出来ると同時に、電池交換も容易に行うことが出来、電池固定用キャップの装着忘れや回路基板の改造防止、部品点数削減による工程削減、コストダウンも可能である。
【図面の簡単な説明】
【００１２】
【図１】この発明の実施の形態１に係る携帯機の外観図および分解斜視図である。
【図２】この発明の実施の形態１に係る携帯機の上面図および断面図である。
【図３】この発明の実施の形態１に係る携帯機に使用される電池固定用キャップの正面図および斜視図である。
【図４】この発明の実施の形態２に係る携帯機の断面図およびベースの斜視図である。
【図５】この発明の実施の形態３に係る携帯機のベースの斜視図および断面図である。
【図６】この発明の実施の形態４に係る携帯機のベースの斜視図である。
【発明を実施するための形態】
【００１３】
実施の形態１．
以下、この発明の実施の形態１における電子キーシステムの携帯機を図１〜図３に基づいて説明する。
図１（ａ）は携帯機の外観図、図１（ｂ）は携帯機の分解斜視図を示し、自動車、バイク、船外機などに使用される電子キーシステムの携帯機の構成部品を示している。
図１において、携帯機本体はその外形を構成するカバー１とベース２で構成され、ベース２内にはベース２とほぼ同じ形状で形成されたケース３が配置されている。これらカバー１、ベース２およびケース３は樹脂成形品で構成されている。カバー１の一部には例えば車両ドアのロック・アンロックやエンジン始動などを行うことができる電子キーの操作ボタン４が配置されている。
【００１４】
ケース３は、外部と無線通信を行うための素子、タクトスイッチなどの電子部品が実装された回路基板５を支持するようになっており、回路基板５の一面側とカバー１との間にはそれぞれが重ね合わされて配置された防水用パッキン６が配置されている。また、ベース２とケース３との間には電池固定用キャップ７が配置され、この電池固定用キャップ７によりボタン型の平らな電池８が保持されている。電池固定用キャップ７はＯリング９を圧縮することで、ケース３に固定される。
ケース３にはプラス電極１０が固定され、回路基板５にはマイナス電極１１が実装され、電池８がこのプラス電極１０とマイナス電極１１に接触して、回路基板５に実装された電子部品と電気的に接続されるようになっている。
【００１５】
次に、図２（ａ）は携帯機の上面図、図２（ｂ）は図２（ａ）のＢ−Ｂ断面図を示し、図３（ａ）は携帯機に使用される電池固定用キャップ７の正面図、図３（ｂ）はその斜視図を示している。この図２、図３に基づいて携帯機本体が浮力により水に浮くことを説明する。
図２、図３において、カバー１はケース３に爪形状による嵌合などによって固定される。この時にカバー１とケース３により防水用パッキン６が圧縮されるため、防水用パッキン６は回路基板５の位置決めをするとともに、防水用パッキン６とケース３の間は防水される。
【００１６】
操作ボタン４がカバー１の一部に配置されているので、操作ボタン４に力を加えることで、防水用パッキン６を介して、回路基板５上に実装されたタクトスイッチ（図示省略）が押され、様々な機能を実行することが出来る。ここで操作ボタン４、防水用パッキン６、タクトスイッチの配置や形状などが操作性に影響を与える要因として挙げられる。
次にケース３の下面側には、ベース２がカバー１と同様に爪形状による嵌合などによって、ケース３に固定される。この時、電池固定用キャップ７がベース２とケース３との間に挟持された状態で位置決めされる。
【００１７】
電池固定用キャップ７は図３（ａ）（ｂ）に示すように、円筒状に突起した電池支持部７１を備え、その外周方向に同じく円筒状に突起したＯリング圧縮部７２を設けている。すなわち、電池固定用キャップ７は電池支持機能と防水機能の２種類の機能を図のような構造で持たせている。
また、電池固定用キャップ７の材料としては、軽量・高強度かつ成型性に優れたポリマーアロイ（ＰＣ/ＡＢＳやＰＣ/ポリエステル）などの樹脂材料が好適である。
【００１８】
また、電池８は電池固定用キャップ７により支持され、電池固定用キャップ７とケース３の間はＯリング９により防水される。すなわち、防水用パッキン６と電池固定用キャップ７で囲まれた空間（範囲）は、防水性を持たせた防水領域であるため、浸水により回路基板５上の電子部品や電池８が故障することはなく、通信機能が故障することはない。
電池８の回路基板５側の面とは反対側の面と電池固定用キャップ７との間には水への浮力に寄与する空間３０を電池固定用キャップ７により設けている。
このように本願発明は、防水用パッキン６、ケース３、電池固定用キャップ７で囲まれた範囲は防水領域であり、その他の領域は非防水となっている。そして、防水領域である電池固定用キャップ７と電池８の間に浮力に寄与する空間３０を設けている。
【００１９】
また、回路基板５上に実装されたアンテナコイル５１は、他の電子部品と比較して、大型かつ重量が重いため、ケース３に電子部品収納部３１を設け、この電子部品収納部３１にアンテナコイル５１を収納することで、携帯機内部の空間を有効的に利用できる。
さらには、操作ボタン４の操作時の圧力や、携帯機外郭に対する衝撃などを受けにくいという面からも、アンテナコイル５１はケース３に収納されることが好ましい。
携帯機が水に浮くための空間３０を確保しつつ、アンテナコイル５１のような大型電子部品をケース３に収容することで、回路基板５の防水用パッキン６側への実装部品高さを最小限にし、携帯機全体のサイズの大型化を抑制することが出来る。
【００２０】
さらに本構造では、ケース３における電子部品収納部３１に電子部品支持部３２を設けている。このように電子部品支持部３２をケース３に設け、この電子部品支持部３２でアンテナコイル５１のような電子部品を支持することで、携帯機の振動時や落下時に電子部品に衝撃が加わることを軽減する。
また、携帯機本体の浮力を大きくする場合、電池８と電池固定用キャップ７間の空間３０の確保に加え、ケース３における電子部品収納部３１の空間も同時に確保することで、好適である。
【００２１】
また、電池８は携帯機本体の回路基板５の中心付近に配置し、その周囲にプラス電極固定部および電子部品など、電池以外の部品を均等に配置することで、防水空間領域の容積は携帯機本体の回路基板面方向に対し、電池収容部を中心としてその周囲に均等に配置される。
このことにより、携帯機が水に浮いた状態において携帯機内部に発生する浮力が均等となり、水面上で携帯機の姿勢が安定する。ここで、ベース２とケース３間の非防水領域の空間部の容積を均等に配置することで、同様の効果が得られる。
【００２２】
さらには、携帯機内部の構成部品のうち、重みがあるアンテナコイル５１を携帯機内部の回路基板５の垂直方向真ん中付近に配置することで、水面上で操作ボタン４が水面より高い位置に安定な姿勢で保たれ、海水などが操作ボタン４下に侵入しないので、塩などの異物が付着することなどによる操作性悪化・不良化の懸念が抑えられる。
【００２３】
また、回路基板５と操作ボタン４との距離は携帯機の操作性に大きな影響を与えるため、回路基板５の配置の自由度は、カバー１によってある程度制約される。そのため、防水用パッキン６の配置、ケース３の回路基板支持位置も同様に制約を受ける。
ケース３における電子部品収納部３１の配置、カバー１およびベース２との嵌合部分の構成によって、ケース３の回路基板５に対して垂直方向の高さはある程度以上必要である。そのため、電池８の電池固定用キャップ７側の面とベース２の内底面との間には距離が出来る。
【００２４】
そこで、携帯機が水に浮くための空間３０を確保するように、電池固定用キャップ７を設計・配置することで、例えば電池固定用キャップ７の電池支持部７１の高さを十分確保することで、防水用パッキン６および電池固定用キャップ７で囲まれた防水領域を最大限利用出来、携帯機の水に対する浮力に寄与することになる。
よって、携帯機を水に落とした場合に、水の侵入により携帯機の機能が損なわれないだけでなく、携帯機本体が水に沈まないため、例えば、海などに携帯機を落としても、携帯機を紛失するリスクが軽減される。
【００２５】
また、一般ユーザーが携帯機を使用する際、寿命による劣化などで電池８を交換する必要があるため、電池固定用キャップ７を取り出すために、ベース２をケース３から容易に取り外しが可能である必要がある。そのため、ベース２とケース３との嵌合部の隙間からの浸水は想定されており、この領域が浸水しても電子キーシステムの機能は、故障しない構造となっている。
一方、カバー１とケース３間は容易に取り外せない嵌合形状に設計されている。これは、一般ユーザーが電池８の交換の際などに、回路基板５に容易に触れることや取り出すことが出来ないようにし、電子キーシステムの誤作動や故障発生、違法な改造等を防止するためである。
【００２６】
上記のように、実施の形態１では、防水用パッキンおよび電池固定用キャップで囲まれた範囲に防水性を持たせ、電池の回路基板側の面とは反対側の面と電池固定用キャップ間に水への浮力に寄与する空間を電池キャップにより設けているため、意匠部品である携帯機本体の外形面の形状追加や携帯機本体のサイズアップを抑制しつつ、内部構造の設計のみで携帯機に浮力を持たせることが可能であり、かつ携帯機内部への浸水により電子キーシステムの機能が損なわれることはない。
さらには意匠部品である携帯機のデザイン性を損なう外殻形状の突部追加等による変更、携帯機本体のサイズアップ、携帯機の機能上不必要な工程追加を要しない。さらに、部品点数・組み立て工程削減におけるコストダウン、誤組み立て防止、携帯機本体の信頼性向上を可能とするものである。
【００２７】
実施の形態２．
次に、この発明の実施の形態２における電子キーシステムの携帯機を図４に基づいて説明する。
図４（ａ）は携帯機の断面図、図４（ｂ）はベースの斜視図である。実施の形態２における携帯機は図４（ｂ）に示すように、ベース２の底部内に長径方向に沿って２本の電池固定用キャップ７の支持部２１をベース２と一体的に設けている。そしてこの電池固定用キャップ支持部２１によって形成されるベース２とケース３間のスペースにエマージェンシーキー４０を装着可能としている。その他の構成は、実施の形態１の図２と同じ構成であり、同一または相当する部分には同一符号を付して説明を省略する。
【００２８】
このようにベース２に電池固定用キャップ支持部２１を設けることで、電池固定用キャップ７がベース２とケース３の間で安定する構造となっており、電池固定用キャップ７をケース３に対してネジや引っ掛け構造などを用いずに容易に固定することができる。
また、ベース２に電池固定用キャップ支持部２１を設けることで、ベース２とケース３間にスペースが出来、このスペースにエマージェンシーキー４０を装着可能であり、このエマージェンシーキー４０は、ユーザーが容易に取り出せる構造である。
【００２９】
この実施の形態２においても、内部構造の設計のみで携帯機に浮力を持たせることが可能であり、かつ携帯機内部への浸水により電子キーシステムの機能が損なわれることはない。また、電池固定用キャップ７をケース３に対して容易に固定することができ、エマージェンシーキー４０も容易に取り出せる。
【００３０】
実施の形態３．
次に、この発明の実施の形態３における電子キーシステムの携帯機を図５に基づいて説明する。
図５（ａ）はベースの斜視図、図５（ｂ）は携帯機の断面図である。実施の形態３における携帯機は図５（ａ）に示すように、電池固定用キャップ７とベース２は一体化されて構成されている。その他の構成は、実施の形態１の図２と同じ構成であり、同一または相当する部分には同一符号を付して説明を省略する。
【００３１】
このように電池固定用キャップ７とベース２は一体化することにより、防水用パッキン６と電池固定用キャップ７により囲まれた防水空間を、電池固定用キャップ７の厚み分だけ大きく利用できることから、携帯機本体の浮力に寄与することが可能である。また、電池固定用キャップ７とベース２を一体化することにより、部品点数を減らすことが可能であり、コストダウンにもつながる。
【００３２】
また、従来は電池固定用キャップ７の装着工程と、ベース２とケース３間の嵌合工程が別であったが、図５（ｂ）に示す爪２３の嵌合力の調整や、Ｏリング９の硬度を調整することなどによって、ベース２により電池８を固定する工程と、ベース２をケース３に嵌合する工程を同一工程としている。
ベース２は、電池固定部でＯリング９を圧縮する構造であり、ここでベース２の位置決めが出来る。さらには、携帯機本体を落下させるなどの衝撃が加わった際、ベース２とケース３の爪嵌合に加え、このＯリング９でベース２のガタツキを抑制することが出来、携帯機の強度・信頼性が向上する。
また、ユーザーが電池交換を行う際に電池固定用キャップ７を装着し忘れるのを防ぐことができる。
【００３３】
実施の形態４．
次に、この発明の実施の形態４における電子キーシステムの携帯機を図６に基づいて説明する。
図６は携帯機におけるベースの斜視図である。実施の形態４における携帯機は図６に示すように、電池固定用キャップ７の電池支持部７１を、今までの円筒状に代えて４本の柱形状にしたものである。その他の構成は、実施の形態１の図２と同じ構成であり、同一または相当する部分には同一符号を付して説明を省略する。
このように電池固定用キャップ７の電池支持部７１を柱形状にすることで、浮力に寄与する空間の容積をさらに大きくすることが可能である。
【００３４】
実施の形態５．
次に、この発明の実施の形態５における電子キーシステムの携帯機をについて説明する。実施の形態５では、図２〜図６に示す携帯機の主要構成部品であり樹脂成形品であるカバー１、ベース２（電池固定用キャップ７との一体品も含む）、ケース３のうち、一部の材料を比較的比重の小さい材料に変更することで、携帯機本体の重量を軽減することを特徴とする。
【００３５】
一般的に、カバー１、ベース２およびケース３の材料としては、機械的強度に優れ、精密成形に優れることから、意匠部品材料として好適なポリアミド樹脂などが多く用いられるが、特にベース２に関しては、強度、デザイン性に問題のない材料の中で、より比重の小さい材料であるポリマーアロイ（ＰＣ/ＡＢＳやＰＣ/ポリエステル）などに変更することで、携帯機の水への浮力に対し、大きな効果をもたらす。
【００３６】
なおこの発明は、その発明の範囲内において、各実施の形態を自由に組み合わせたり、各実施の形態を適宜、変形、省略することが可能である。
【符号の説明】
【００３７】
１：カバー、    ２：ベース、    ３：ケース、    ４：操作ボタン、
５：回路基板、  ６：防水用パッキン、    ７：電池固定用キャップ、
８：電池、      ９：Ｏリング、  ２１：電池固定用キャップ支持部、
３０：浮力に寄与する空間、    ３１：電子部品収容部、  ３２：電子部品支持部、
４０：エマージェンシーキー、  ５１：アンテナコイル（電子部品）、
７１：電池支持部、  ７２：Ｏリング圧縮部。
【図１】
2015059374.tif 000003
【図２】
2015059374.tif 000004
【図３】
2015059374.tif 000005
【図４】
2015059374.tif 000006
【図５】
2015059374.tif 000007
【図６】
2015059374.tif 000008
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
携帯機本体の外形を構成するカバーとベース、前記ベース内に配置されたケース、前記ケースに支持され電子部品が実装された回路基板、前記回路基板の一面側と前記カバーとの間に重ね合わされて配置された防水用パッキン、前記ベースと前記ケースとの間に配置された電池固定用キャップ、前記電池固定用キャップにより保持され前記回路基板の電子部品と電気的に接続される電池を備え、前記電池固定用キャップは、円筒状または複数本の柱形状で形成された電池支持部とその外周部に円筒状に突起したＯリング圧縮部とを有して、前記ベースと前記ケースとの間に挟持され、前記防水用パッキンおよび前記電池固定用キャップで囲まれた範囲に防水性を持たせ、前記電池の前記回路基板側の面とは反対側の面と前記電池固定用キャップ間に水への浮力に寄与する空間を前記電池固定用キャップにより設けたことを特徴とする電子キーシステムの携帯機。
【請求項２】
前記電池固定用キャップは、前記ベースと一体化させたことを特徴とする請求項１に記載の電子キーシステムの携帯機。
【請求項３】
前記ケースに電子部品収納部を設け、前記回路基板に実装された電子部品の一部を、前記電子部品収容部に配置したことを特徴とする請求項１または請求項２に記載の電子キーシステムの携帯機。
【請求項４】
前記ケースに設けた電子部品収納部に、前記回路基板に実装された電子部品を支持する電子部品支持部を設けたことを特徴とする請求項３に記載の電子キーシステムの携帯機。
【請求項５】
前記ベースに前記電池固定用キャップの支持部を設け、前記電池固定用キャップの支持部により形成された前記ベースと前記ケースとのスペースにエマージェンシーキーを装着可能としたことを特徴とする請求項１、３、４のいずれか１項に記載の電子キーシステムの携帯機。
【請求項６】
前記ベースは、前記ケースと脱着可能かつ前記ベースと前記ケース間の嵌合部は非防水であり、前記電池固定用キャップを外すことで電池交換が可能であることを特徴とする請求項１、３〜５のいずれか１項に記載の電子キーシステムの携帯機。
【請求項７】
前記電池を携帯機本体の回路基板の中心付近に配置したことを特徴とする請求項１〜６のいずれか１項に記載の電子キーシステムの携帯機。
【請求項８】
前記カバー、ベース及びケースを樹脂成形品で構成し、そのうち１つ以上の部品材料を他の部品材料と比して比重の小さい材料を使用したことを特徴とする請求項１〜７のいずれか１項に記載の電子キーシステムの携帯機。
【請求項９】
前記電池固定用キャップは、ポリマーアロイ材の樹脂材料としたことを特徴とする請求項１〜８のいずれか１項に記載の電子キーシステムの携帯機。
【手続補正２】
【補正対象書類名】明細書
【補正対象項目名】００１０
【補正方法】変更
【補正の内容】
【００１０】
この発明の電子キーシステムの携帯機は、携帯機本体の外形を構成するカバーとベース、ベース内に配置されたケース、ケースに支持され電子部品が実装された回路基板、回路基板の一面側とカバーとの間に重ね合わされて配置された防水用パッキン、ベースとケースとの間に配置された電池固定用キャップ、電池固定用キャップにより保持され回路基板の電子部品と電気的に接続される電池を備え、電池固定用キャップは、円筒状または複数本の柱形状で形成された電池支持部とその外周部に円筒状に突起したＯリング圧縮部とを有して、ベースとケースとの間に挟持され、防水用パッキンおよび電池固定用キャップで囲まれた範囲に防水性を持たせ、電池の回路基板側の面とは反対側の面と電池固定用キャップ間に水への浮力に寄与する空間を電池固定用キャップにより設けたものである。 
【手続補正３】
【補正対象書類名】明細書
【補正対象項目名】００３４
【補正方法】変更
【補正の内容】
【００３４】
実施の形態５．
次に、この発明の実施の形態５における電子キーシステムの携帯機について説明する。実施の形態５では、図２〜図６に示す携帯機の主要構成部品であり樹脂成形品であるカバー１、ベース２（電池固定用キャップ７との一体品も含む）、ケース３のうち、一部の材料を比較的比重の小さい材料に変更することで、携帯機本体の重量を軽減することを特徴とする。